(57)【特許請求の範囲】
【請求項１】
内層板と外層板とを有する壁材を施工するための壁材取付金具であって、
基台と、該基台から立設された受止板と、該受止板の先端部に着脱可能に取り付けられた二股分枝部材とからなり、該受止板の先端部には該二股分枝部材の基端部を支持する支持板の一対が差出されており、該二股分枝部材の先端には上側枝部及び下側枝部が設けられており、該二股分枝部材の基端部には該受止板の一対の支持板にそれぞれ嵌合する一対の支持板嵌合部が形成されているとともに、該二股分枝部材の基端部の上下両側又は片側には外層板係合部が形成されており、
該基台と該受止板の先端部又は該二股分枝部材の基端部との間において該受止板の両側には内層板の端部嵌合部が形成され、該二股分枝部材の基端部又は該受止板の先端部と該二股分枝部材先端の上側枝部及び下側枝部との間において該二股分枝部材の上下両側には外層板の実嵌合部が形成されていることを特徴とする壁材取付金具。
【請求項２】
該受止板の支持板は該受止板の先端に略垂直に設けられており、該二股分枝部材の基端部には断面略縦長Ｃ字状の支持板嵌合部が形成されており、
該受止板の支持板の端部と該二股分枝部材の支持板嵌合部の端部との位置合わせを行い、該二股分枝部材の支持板嵌合部を該受止板の支持板に嵌合させながら該二股分枝部材をスライドさせることにより、該二股分枝部材は該受止板先端部に取り付けられる請求項１記載の壁材取付金具。
【請求項３】
該受止板の支持板は該受止板の先端に略垂直に設けられており、該支持板には孔部が形成されており、一方、該二股分枝部材の基端部には該受止板の支持板と重合される外層板係合板が設けられており、該外層板係合板にはフックが設けられており、
該二股分枝部材の外層板係合板のフックを該受止板の支持板の孔部を介して該支持板に嵌合させることにより、該二股分枝部材は該受止板先端部に取り付けられる請求項１記載の壁材取付金具。
【請求項４】
該受止板の支持板は上側に差し出された上側支持板と先端側に差し出された先端側支持板とからなり、該受止板の先端部下側には内層板係合部及び外層板係合部が設けられており、一方、該二股分枝部材の基端部には該受止板の上側支持板に嵌合する上側支持板嵌合部と該受止板の先端側支持板に嵌合する先端側支持板嵌合部とからなる支持板嵌合部が形成されており、該受止板の支持板の端部と該二股分枝部材の支持板嵌合部の端部との位置合わせを行い、該二股分枝部材の上側支持板嵌合部を該受止板の上側支持板に嵌合させ、該二股分枝部材の先端側支持板嵌合部を該受止板の先端側支持板に嵌合させながら該二股分枝部材をスライドさせることにより、該二股分枝部材は該受止板先端部に取り付けられる請求項１記載の壁材取付金具。
【発明の詳細な説明】
【０００１】
【発明の属する技術分野】
本発明は、壁材の施工に使用される取付金具に関するものである。
【０００２】
【従来の技術及び発明が解決しようとする課題】
従来より、建物の外壁を断熱する外断熱工法として、断熱材と外装材とをあらかじめ一体的に複合パネル化したものを施工現場に持ち込み、施工する方法が行われている。
【０００３】
しかしながら、該断熱材と外装材とは接着剤を使用して複合パネル化されるため、該接着剤及び接着工程によって原料コストや製造コストが嵩むとともに、該接着剤が人間の健康や環境に与える悪影響も問題となる。
さらに、該外壁をリフォームする際には、接着剤によって接着された外装材と断熱材とは必然的に一度に張り替えなくてはならない。また、該複合パネルを廃棄したりリサイクルする場合にも、外装材と断熱材とを分別するのが困難であり、分別できたとしてもコストが高くなる。
【０００４】
一方、パネル化しないものとして、断熱材を施工した後、該断熱材に胴縁を取り付け、次いで該胴縁の上に外装材を施工する方法があるが、かかる方法は非常に手間がかかり、材料コストも高くなるという問題がある。
【０００５】
したがって、本発明の課題は、断熱材、外装材等の壁材を相互に接着することなく、簡単に重ね張り施工することのできる壁材取付金具を提供することである。
【０００６】
【課題を解決するための手段】
上記課題を解決するために、本発明は、内層板（６）と外層板（７）とを有する壁材を施工するための壁材取付金具（１…）であって、基台（２…）と、該基台（２…）から立設された受止板（３…）と、該受止板（３…）の先端部に着脱可能に取り付けられた二股分枝部材（４…）とからなり、該受止板（３…）の先端部には該二股分枝部材（４…）の基端部を支持する支持板（31，31Ａ，35Ｂ，36Ｂ）の一対が差出されており、該二股分枝部材（４…）の先端には上側枝部（41…）及び下側枝部（42…）が設けられており、該二股分枝部材（４…）の基端部には該受止板（３…）の一対の支持板（31，31Ａ，35Ｂ，36Ｂ）にそれぞれ嵌合する一対の支持板嵌合部（43，45Ａ，46Ｂ，47Ｂ）が形成されているとともに、該二股分枝部材の基端部の上下両側又は片側には外層板係合部（43，44Ａ，46Ｂ）が形成されており、該基台（２…）と該受止板（３…）の先端部又は該二股分枝部材（４…）の基端部との間において該受止板（３…）の上下両側には内層板（６）の端部嵌合部（11…，12…）が形成され、該二股分枝部材（４…）の基端部又は該受止板（３…）の先端部と該二股分枝部材（４…）先端の上側枝部（41…）及び下側枝部（42…）との間において該二股分枝部材（４…）の両側には外層板（７）の実嵌合部（13…，14…）が形成されていることを特徴とする壁材取付金具（１…）を提供するものである。
【０００７】
上記壁材取付金具（１）においては、該受止板（３）の支持板（31）は該受止板（３）の先端に略垂直に設けられており、該二股分枝部材（４）の基端部には断面略縦長Ｃ字状の支持板嵌合部（43）が形成されており、該受止板（３）の支持板（31）の端部と該二股分枝部材（４）の支持板嵌合部（43）の端部との位置合わせを行い、該二股分枝部材（４）の支持板嵌合部（43）を該受止板（３）の支持板（31）に嵌合させながら該二股分枝部材（４）をスライドさせることにより、該二股分枝部材（４）は該受止板（３）先端部に取り付けられてもよい。該壁材取付金具（１）では、該二股分枝部材（４）基端部の支持板嵌合部（43）が上記外層板係合部となる。
【０００８】
また、上記壁材取付金具（１Ａ）においては、該受止板（３Ａ）の支持板（31Ａ）は該受止板（３Ａ）の先端に略垂直に設けられており、該支持板（31Ａ）には孔部（34Ａ）が形成されており、一方、該二股分枝部材（４Ａ）の基端部には該受止板（３Ａ）の支持板（31Ａ）と重合される外層板係合板（44Ａ）が設けられており、該外層板係合板（44Ａ）にはフック（45Ａ）が設けられており、該二股分枝部材（４Ａ）の外層板係合板（44Ａ）のフック（45Ａ）を該受止板（３Ａ）の支持板（31Ａ）の孔部（34Ａ）を介して該支持板（31Ａ）に嵌合させることにより、該二股分枝部材（４Ａ）は該受止板（３Ａ）先端部に取り付けられてもよい。該壁材取付金具（１Ａ）では、該二股分枝部材（４Ａ）基端部の外層板係合板（44Ａ）が上記外層板係合部となり、該外層板係合板（44Ａ）のフック（45Ａ）が上記支持板嵌合部となる。
【０００９】
さらに、上記壁材取付金具（１Ｂ）においては、該受止板（３Ｂ）の支持板は上側に差し出された上側支持板（35Ｂ）と先端側に差し出された先端側支持板（36Ｂ）とからなり、該受止板（３Ｂ）の先端部下側には内層板係合部（37Ｂ）及び外層板係合部（38Ｂ）が設けられており、一方、該二股分枝部材（４Ｂ）の基端部には該受止板（３Ｂ）の上側支持板（35Ｂ）に嵌合する上側支持板嵌合部（46Ｂ）と該受止板（３Ｂ）の先端側支持板（36Ｂ）に嵌合する先端側支持板嵌合部（47Ｂ）とからなる支持板嵌合部が形成されており、該受止板（３Ｂ）の支持板（35Ｂ，36Ｂ）の端部と該二股分枝部材（４Ｂ）の支持板嵌合部（46Ｂ，47Ｂ）の端部との位置合わせを行い、該二股分枝部材（４Ｂ）の上側支持板嵌合部（46Ｂ）を該受止板（３Ｂ）の上側支持板（35Ｂ）に嵌合させ、該二股分枝部材（４Ｂ）の先端側支持板嵌合部（47Ｂ）を該受止板（３Ｂ）の先端側支持板（36Ｂ）に嵌合させながら該二股分枝部材（４Ｂ）をスライドさせることにより、該二股分枝部材（４Ｂ）は該受止板（３Ｂ）先端部に取り付けられてもよい。該壁材取付金具（１Ｂ）では、該二股分枝部材（４Ｂ）基端部の上側支持板嵌合部（46Ｂ）が上記外層板係合部となる。
【００１０】
【発明の実施の形態】
以下、図面を参照して本発明を詳細に説明する。
本発明の一実施形態による壁材取付金具を図１〜図３に示す。該取付金具１は、基台２と、該基台２から立設された受止板３と、該受止板３の先端部に着脱可能に取り付けられた二股分枝部材４とからなる。
該基台２は、平板状本体21と、該平板状本体21の両側から傾設される脚板部22，23と、一方の脚板部22から延設される平板部24とからなり、一方の脚板部22には複数個の釘孔25が設けられ、該平板部24には複数個のビス孔26が設けられている。
【００１１】
図１及び図２に示すように、該受止板３の先端には該二股分枝部材４を支持する上下一対の支持板31,31が垂直に設けられており、該受止板３は断面Ｔ字状となっている。
また、図１及び図３に示すように、該二股分枝部材４は、先端に上側枝部41及び下側枝部42を有し、基端部に上記受止板３の上下一対の支持板31,31にそれぞれ嵌合する断面略縦長Ｃ字状の一対の支持板嵌合部43,43を有する。
【００１２】
該二股分枝部材４を上記受止板３先端部に取り付けるには、図４に示すように、該受止板３の支持板31,31の端部と該二股分枝部材４の支持板嵌合部43,43の端部との位置合わせを行い、該二股分枝部材４の支持板嵌合部43,43を該受止板３の支持板31,31に嵌合させながら該二股分枝部材４をスライドさせればよい。
【００１３】
該二股分枝部材４を該受止板３先端部に取り付けた状態の取付金具１では、図１に示すように、該基台２と該二股分枝部材４の支持板嵌合部43,43との間において該受止板３の両側には内層板の端部嵌合部11，12が形成され、該二股分枝部材４基端の下側の支持板嵌合部43と該二股分枝部材４先端の下側枝部42との間において該二股分枝部材４の下側には外層板の下実嵌合部13が形成され、該二股分枝部材４基端の上側の支持板嵌合部43と該二股分枝部材４先端の上側枝部41との間において該二股分枝部材４の上側には外層板の奥実嵌合部14が形成される。
【００１４】
該取付金具１によれば、内層板と外層板とを有する壁材を重ね張り施工することができる。該内層板の種類としては、断熱材、保温材、防音材、吸音材、耐火材等があり、好ましくは断熱材が施工される。該断熱材としては、ポリウレタン発泡体、ポリエチレン、ポリプロピレン等のポリオレフィン発泡体、ポリスチレン発泡体、メラミン樹脂、尿素樹脂等のアミノ系樹脂発泡体、フェノール樹脂発泡体、イソシアネート発泡体、イソシアヌレート発泡体等のプラスチック発泡体からなるプラスチックボードや、多数の気泡が内在するセメント板、あるいはケイカル板、スラグ石膏ボード、ボード状のグラスウール又はロックウール等が例示され、該セメント板、ＡＬＣ板、ケイカル板、スラグ石膏ボード等は耐火性に優れる。
【００１５】
また、該内層板の外側には外層板が施工されるため、該内層板は表面平滑性等の外観上の物性が悪いものであっても問題はない。したがって、該内層板（断熱材）はリサイクル資材を使用して製造したものであってもよく、例えば、補強材として新聞故紙や廃プラスチックを使用して製造したセメント板等や、増量材として窯業系外装材の廃材や中間リジェクト（不良品）等を使用して製造したセメント板等であってもよい。
【００１６】
該外層板としては、窯業系の外装材、特に木質繊維補強セメント板等の外装材が好ましく使用される。図８に示すように、通常該外層板７ａの上辺には下実71ａが形成されており、該外層板７ａの下辺には上実72ａが形成されているとともに該上実72ａの根端下側からは奥実73ａが差し出されている。
【００１７】
上記取付金具１を使用した第１の施工方法においては、まず該取付金具１における二股分枝部材４を外しておき、図５に示すように、躯体柱５に内層板６を沿わせ、該内層板６の上端部61を該取付金具１の受止板３下側の内層板端部嵌合部11に嵌合させるとともに、基台２の脚板部22の釘孔25を介して釘51によって（又は基台２の平板部24のビス孔26を介してビスによって）該取付金具１を該躯体柱５に止着する。なお、最下段の内層板６の下端部は、図示しない水切り部材等によって該躯体柱５に固定される。
【００１８】
上記取付金具１を躯体柱５に止着したら、図６に示すように、該内層板６の外側に外層板７を沿わせ、該外層板７上辺の下実部71を該取付金具１の受止板３における支持板31,31からわずかに離して位置させた上で、該支持板31に二股分枝部材４の支持板嵌合部43,43を嵌合させて該二股分枝部材４を該受止板３先端部に取り付けることにより、該外層板７の下実部71を該取付金具１の二股分枝部材４下側の外層板下実嵌合部13に嵌合せしめる。なお、最下段の外層板７の下端部も、上記最下段の内層板６と同様に、図示しない水切り部材等によって該躯体柱５に固定される。
【００１９】
次に、図７に示すように、一つ上の段の内層板６ａを該躯体柱５に沿わせ、該内層板６ａの下端部62ａを上記取付金具１の受止板３上側の内層板端部嵌合部12に嵌合させる。そして、該内層板６ａの上端部61ａを一つ上の段の取付金具１ａの受止板３ａ下側の内層板端部嵌合部11ａに嵌合させるとともに、該取付金具１ａの基台２ａの脚板部22ａの釘孔25ａを介して釘51ａによって該取付金具１ａを該躯体柱５に止着する。
【００２０】
上記取付金具１ａを躯体柱５に止着したら、図８に示すように、一つ上の段の外層板７ａを上記内層板６ａの外側に沿わせ、該外層板７ａ下辺の奥実部73ａを上記取付金具１の二股分枝部材４上側の外層板奥実嵌合部14に嵌合させる。そして、該外層板７ａ上辺の下実部71ａを該取付金具１ａの受止板３ａにおける支持板31ａ,31ａからわずかに離して位置させた上で、該支持板31ａ,31ａに二股分枝部材４ａの支持板嵌合部43ａ,43ａを嵌合させて該二股分枝部材４ａを該受止板３ａ先端部に取り付け、該外層板７ａの下実部71ａを該取付金具１ａの二股分枝部材４ａ下側の外層板下実嵌合部13ａに嵌合せしめる。
以上のようにして、内層板６，６ａ…と外層板７，７ａ…とを交互に上段側に施工していく。
【００２１】
上記取付金具１を使用した第２の施工方法においては、まず取付金具１における二股分枝部材４を外しておき、図５に示すように、躯体柱５に内層板６を沿わせ、該内層板６の上端部61を上記取付金具１の受止板３下側の内層板端部嵌合部11に嵌合させるとともに、基台２の脚板部22の釘孔25を介して釘51によって該取付金具１を該躯体柱５に止着する。なお、最下段の内層板６の下端部は、図示しない水切り部材等によって該躯体柱５に固定される。
【００２２】
次に、図９に示すように、一つ上の段の内層板６ａを該躯体柱５に沿わせ、該内層板６ａの下端部62ａを上記取付金具１の受止板３上側の内層板端部嵌合部12に嵌合させる。
上記手順を繰り返し、内層板６，６ａ，６ｂ…を順次上段側に施工していく。
【００２３】
上記内層板６，６ａ，６ｂ…の施工を行った後、図１０に示すように、既に施工された該内層板６の外側に外層板７を沿わせ、該外層板７上辺の下実部71を該取付金具１の受止板３における支持板31,31からわずかに離して位置させた上で、該支持板31,31に二股分枝部材４の支持板嵌合部43,43を嵌合させて該二股分枝部材４を該受止板３先端部に取り付けることにより、該外層板７の下実部71を該取付金具１の二股分枝部材４下側の外層板下実嵌合部13に嵌合せしめる。なお、最下段の外層板７の下端部も、図示しない水切り部材等によって該躯体柱５に固定される。
【００２４】
次に、図１１に示すように、一つ上の段の外層板７ａを上記内層板６ａの外側に沿わせ、該外層板７ａ下辺の奥実部73ａを上記取付金具１の受止板３上側の外層板奥実嵌合部14に嵌合させる。そして、該外層板７ａ上辺の下実部71ａを該取付金具１ａの受止板３ａにおける支持板31ａからわずかに離して位置させた上で、該支持板31ａ,31ａに二股分枝部材４ａの支持板嵌合部43ａ,43ａを嵌合させて該二股分枝部材４ａを該受止板３ａ先端部に取り付け、該外層板７ａの下実部71ａを該取付金具１ａの二股分枝部材４ａ下側の外層板下実嵌合部13ａに嵌合せしめる。
上記手順を繰り返し、外層板７，７ａ…を順次上段側に施工していく。
【００２５】
上記取付金具１を使用した第１の施工方法及び第２の施工方法によれば、内層板６と外層板７とを簡単に重ね張り施工することができる。これらの方法においては、内層板６と外層板７とは接着しないため、両者を一体的に複合パネル化する工程は不要で、接着剤による人間や環境への害もなく、該内層板６の種類と外層板７の種類も自由に組み合わせることができる。またリフォームする際にも内層板６又は外層板７のいずれか一方を張り替えることができ、使用済みの内層板６及び外層板７は分離しているため廃棄処分やリサイクルを容易に行うことができる。さらに、施工された内層板６と外層板７との間には多少なりとも間隙が存在するため、該間隙が通気層の役割を果たして結露しにくくなり、結露したとしても該間隙から排水することができる。
【００２６】
上記取付金具１は、本発明の思想を逸脱しない限り、種々の変更を施すことができる。かかる変更を施した壁材取付金具を図１２〜図２２に示す。
図１２及び図１３に示す取付金具101 における受止板３の両側には、内層板６の上端部61及び下端部62に形成されたスリット63に挿入される内層板スリット挿入板32が差し出されている。
【００２７】
図１４に示す取付金具102 及び図１５に示す取付金具103 における受止板３は、内層板６の上端部61及び下端部62に形成された合決段部64，65に対応するように屈曲形状とされており、該取付金具102 の受止板３は上側に屈曲しており、該取付金具103 の受止板３は下側に屈曲している。かかる取付金具102,103 、特に取付金具103 を使用した場合、該内層板６の接合部分における防水性が向上する。
【００２８】
図１６に示す取付金具104 における受止板３は、斜めに切断された内層板６の上端部61及び下端部62に対応するように、基台２から下方に傾設されている。
図１７に示す取付金具105 における受止板３は、内層板６の上端部61及び下端部62に形成されたクランク状の合決段部64，65に対応するようにクランク状に屈曲されている。
図１８に示す取付金具106 における受止板３には、内層板６の上端部61に形成された凸部66及び内層板６の下端部62に形成された凹部67に嵌合するように上側に凸になった凸部33が形成されている。
【００２９】
図１９に示す取付金具107 において受止板３先端の支持板31,31が嵌合した二股分枝部材４の支持板嵌合部43,43は、内層板６の上端部61外側及び下端部62外側に形成された切欠溝68に嵌合している。
図２０に示す取付金具108 における基台２は、平板状になっている。
【００３０】
図２１に示す取付金具109 における二股分枝部材４の上側枝部41及び下側枝部42は、上記取付金具１における二股分枝部材４の上側枝部41及び下側枝部42のように斜め上方及び斜め下方には差し出されておらず、垂直上方及び垂直下方に差し出されている。
また、上記取付金具１における二股分枝部材４の上側枝部41及び下側枝部42は、図２２に示す二股分枝部材40のように、断面略三角形状に一体的に形成されていてもよい。
【００３１】
図１２〜図２１に示す取付金具によっても、更には図２２に示す二股分枝部材40を使用しても、上記取付金具１と同様の手順により内層板６及び外層板７を施工することができる。
【００３２】
本発明からは逸脱するが、参考例として他の実施形態による壁材取付金具を図２３〜図２６に示す。該取付金具１Ａは、基台２Ａと、該基台２Ａから立設された受止板３Ａと、該受止板３Ａの先端部に着脱可能に取り付けられた二股分枝部材４Ａとからなり、該基台２Ａは、上記取付金具１と同様の構成を有する。
図２４に示すように、該受止板３Ａの先端には該二股分枝部材４Ａを支持する上下の支持板31Ａ,31Ａが垂直に設けられており、上側の該支持板31Ａには横長の孔部34Ａが３箇所形成されている。
一方、該二股分枝部材４Ａは、図２５に示すように、先端に上側枝部41Ａ及び下側枝部42Ａを有し、基端に上記受止板３Ａの支持板31Ａ,31Ａと重合される外層板係合板44Ａ,44Ａを有する。上側の該外層板係合板44Ａには、上記受止板３Ａの上側の支持板31Ａに形成された孔部34Ａを介して該支持板31Ａに嵌合されるフック45Ａが３個設けられている。
【００３３】
該二股分枝部材４Ａを上記受止板３Ａ先端部に取り付けるには、該二股分枝部材４Ａの上側の外層板係合板44Ａの各フック45Ａを該受止板３Ａの上側の支持板31Ａの各孔部34Ａに挿入し、該二股分枝部材４Ａの外層板係合板44Ａ,44Ａと該受止板３Ａの支持板31Ａ,31Ａとを重合せしめた後、該二股分枝部材４Ａを下方にスライドさせることにより、該外層板係合板44Ａのフック45Ａを該支持板31Ａに嵌合させればよい（図２６）。
【００３４】
該二股分枝部材４Ａを該受止板３Ａ先端部に取り付けた状態の取付金具１Ａでは、図２３及び図２６に示すように、該基台２Ａと該受止板３Ａ先端の支持板31Ａ,31Ａ（該二股分枝部材４Ａの外層板係合板44Ａのフック45Ａ）との間において該受止板３Ａの両側には内層板の端部嵌合部11Ａ，12Ａが形成され、該二股分枝部材４Ａ基端の下側の外層板係合板44Ａと該二股分枝部材４Ａ先端の下側枝部42Ａとの間において該二股分枝部材４Ａの下側には外層板の下実嵌合部13Ａが形成され、該二股分枝部材４Ａ基端の上側の外層板係合板44Ａと該二股分枝部材４Ａ先端の上側枝部41Ａとの間において該二股分枝部材４Ａの上側には外層板の奥実嵌合部14Ａが形成される。
【００３５】
該取付金具１Ａによる内層板６及び外層板７の施工は、該二股分枝部材４Ａを該受止板３Ａ先端部に取り付ける際に、該外層板７上辺の下実部71を該二股分枝部材４Ａ下側の外層板下実嵌合部13Ａに嵌合させながら、該二股分枝部材４Ａ基端の外層板係合板44Ａの各フック45Ａを該受止板３Ａ先端の支持板31Ａの各孔部34Ａを介して該支持板31Ａに嵌合させる以外、上記取付金具１と同様の手順によって行うことができる。なお、該取付金具１Ａによって施工する内層板６の下端部62外側には、図２６に示すように、該二股分枝部材４Ａの外層板係合板44Ａのフック45Ａが嵌合する切欠溝68を形成しておくのが好ましい。
この取付金具１Ａにも、上記取付金具１と同様の変更を加えることができる。
【００３６】
本発明の他の実施形態による壁材取付金具を図２７〜図３０に示す。該取付金具１Ｂは、基台２Ｂと、該基台２Ｂから立設された受止板３Ｂと、該受止板３Ｂの先端部に着脱可能に取り付けられた二股分枝部材４Ｂとからなり、該基台２Ｂは、上記取付金具１と同様の構成を有する。
図２８に示すように、該受止板３Ｂの先端部には該二股分枝部材４Ｂを支持する上側支持板35Ｂと先端側支持板36Ｂとが設けられており、該上側支持板35Ｂは該受止板３Ｂの上側に差し出されており、該先端側支持板36Ｂは該受止板３Ｂの先端側に差し出されている。また、該受止板３Ｂの先端部下側には、内層板係合片37Ｂと外層板係合片38Ｂとが差し出されている。
一方、該二股分枝部材４Ｂは、図２９に示すように、先端に上側枝部41Ｂ及び下側枝部42Ｂを有し、基端部に上記受止板３Ｂの上側支持板35Ｂに嵌合する上側支持板嵌合部46Ｂと該受止板３Ｂの先端側支持板36Ｂに嵌合する先端側支持板嵌合部47Ｂとを有する。
【００３７】
該二股分枝部材４Ｂを上記受止板３Ｂ先端部に取り付けるには、該受止板３Ｂの上側支持板35Ｂの端部と該二股分枝部材４Ｂの上側支持板嵌合部46Ｂの端部、及び該受止板３Ｂの先端側支持板36Ｂの端部と該二股分枝部材４Ｂの先端側支持板嵌合部47Ｂの端部の位置合わせを行い、該二股分枝部材４Ｂの上側支持板嵌合部46Ｂを該受止板３Ｂの上側支持板35Ｂに嵌合させるとともに、該二股分枝部材４Ｂの先端側支持板嵌合部47Ｂを該受止板３Ｂの先端側支持板36Ｂに嵌合させながら、該二股分枝部材４Ｂをスライドさせればよい。
【００３８】
該二股分枝部材４Ｂを該受止板３Ｂ先端部に取り付けた状態の取付金具１Ｂでは、図２７及び図３０に示すように、該基台２Ｂと該受止板３Ｂの内層板係合片37Ｂとの間において該受止板３Ｂの下側には内層板の端部嵌合部11Ｂが形成され、該基台２Ｂと該二股分枝部材４Ｂ基端の上側支持板嵌合部46Ｂとの間において該受止板３Ｂの上側には内層板の端部嵌合部12Ｂが形成され、該受止板３Ｂの外層板係合片38Ｂと該二股分枝部材４Ｂ先端の下側枝部42Ｂとの間において該二股分枝部材４Ｂの下側には外層板の下実嵌合部13Ｂが形成され、該二股分枝部材４Ｂ基端の上側支持板嵌合部46Ｂと該二股分枝部材４Ｂ先端の上側枝部41Ｂとの間において該二股分枝部材４Ｂの上側には外層板の奥実嵌合部14Ｂが形成される。
【００３９】
該取付金具１Ｂによる内層板６及び外層板７の施工は、上記取付金具１と同様の手順によって行うことができる。また、該取付金具１Ｂにも、上記取付金具１と同様の変更を加えることができる。さらに、該取付金具１Ｂの受止板３Ｂの先端部下側における内層板係合片37Ｂと外層板係合片38Ｂとは、図３１に示すように、一体的に形成されていてもよい。
【００４０】
【発明の効果】
本発明の壁材取付金具によれば、内層板と外層板とを相互に接着することなく、簡単に重ね張り施工することができる。
【図面の簡単な説明】
【図１】  本発明の一実施形態による壁材取付金具の斜視図である。
【図２】  図１における取付金具の一部を示す斜視図である。
【図３】  図１における取付金具の一部を示す斜視図である。
【図４】  図１における取付金具の平面図である。
【図５】  図１における取付金具を使用した壁材施工方法の一工程を説明する側面図である。
【図６】  図１における取付金具を使用した壁材施工方法の一工程を説明する側面図である。
【図７】  図１における取付金具を使用した壁材施工方法の一工程を説明する側面図である。
【図８】  図１における取付金具を使用した壁材施工方法の一工程を説明する側面図である。
【図９】  図１における取付金具を使用した壁材施工方法の一工程を説明する側面図である。
【図１０】  図１における取付金具を使用した壁材施工方法の一工程を説明する側面図である。
【図１１】  図１における取付金具を使用した壁材施工方法の一工程を説明する側面図である。
【図１２】  本発明の他の実施形態による壁材取付金具の斜視図である。
【図１３】  図１２における取付金具を使用して壁材を施工した状態を示す側面図である。
【図１４】  本発明の別の実施形態による壁材取付金具を使用して壁材を施工した状態を示す側面図である。
【図１５】  本発明の別の実施形態による壁材取付金具を使用して壁材を施工した状態を示す側面図である。
【図１６】  本発明の別の実施形態による壁材取付金具を使用して壁材を施工した状態を示す側面図である。
【図１７】  本発明の別の実施形態による壁材取付金具を使用して壁材を施工した状態を示す側面図である。
【図１８】  本発明の別の実施形態による壁材取付金具を使用して壁材を施工した状態を示す側面図である。
【図１９】  本発明の別の実施形態による壁材取付金具を使用して壁材を施工した状態を示す側面図である。
【図２０】  本発明の別の実施形態による壁材取付金具を使用して壁材を施工した状態を示す側面図である。
【図２１】  本発明の別の実施形態による壁材取付金具を使用して壁材を施工した状態を示す側面図である。
【図２２】  本発明の別の実施形態による壁材取付金具の二股分枝部材の斜視図である。
【図２３】  本発明の別の実施形態による壁材取付金具の斜視図である。
【図２４】  図２３における取付金具の一部を示す斜視図である。
【図２５】  図２３における取付金具の一部を示す斜視図である。
【図２６】  図２３における取付金具を使用して壁材を施工した状態を示す側面図である。
【図２７】  本発明の別の実施形態による壁材取付金具の斜視図である。
【図２８】  図２７における取付金具の一部を示す斜視図である。
【図２９】  図２７における取付金具の一部を示す斜視図である。
【図３０】  図２７における取付金具を使用して壁材を施工した状態を示す側面図である。
【図３１】  本発明の別の実施形態による壁材取付金具の一部を示す斜視図である。
【符号の説明】
１…取付金具
11，12…端部嵌合部
13…（下）実嵌合部
14…（奥）実嵌合部
２…基台
３…受止板
31…支持板
34Ａ…孔部
35Ｂ…（上側）支持板
36Ｂ…（先端側）支持板
37Ｂ…内層板係合部（内層板係合片）
38Ｂ…外層板係合部（外層板係合片）
４…二股分枝部材
43…支持板嵌合部，外層板係合部
44Ａ…外層板係合部（外層板係合板）
45Ａ…支持板嵌合部（フック）
46Ｂ…（上側）支持板嵌合部，外層板係合部
47Ｂ…（先端側）支持板嵌合部
６…内層板
７…外層板
【図１】
0003942295.tif 000002
【図２】
0003942295.tif 000003
【図３】
0003942295.tif 000004
【図４】
0003942295.tif 000005
【図５】
0003942295.tif 000006
【図６】
0003942295.tif 000007
【図７】
0003942295.tif 000008
【図８】
0003942295.tif 000009
【図９】
0003942295.tif 000010
【図１０】
0003942295.tif 000011
【図１１】
0003942295.tif 000012
【図１２】
0003942295.tif 000013
【図１３】
0003942295.tif 000014
【図１４】
0003942295.tif 000015
【図１５】
0003942295.tif 000016
【図１６】
0003942295.tif 000017
【図１７】
0003942295.tif 000018
【図１８】
0003942295.tif 000019
【図１９】
0003942295.tif 000020
【図２０】
0003942295.tif 000021
【図２１】
0003942295.tif 000022
【図２２】
0003942295.tif 000023
【図２３】
0003942295.tif 000024
【図２４】
0003942295.tif 000025
【図２５】
0003942295.tif 000026
【図２６】
0003942295.tif 000027
【図２７】
0003942295.tif 000028
【図２８】
0003942295.tif 000029
【図２９】
0003942295.tif 000030
【図３０】
0003942295.tif 000031
【図３１】
0003942295.tif 000032